【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、前記表面上の副走査方向の所定位置における原稿の存否を検知する原稿検知手段と、複数の前記分割光源の少なくとも１つを点灯させながら前記画像センサーによる受光量を取得した結果に基づいて前記原稿台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記原稿台上における原稿の平面サイズ及び姿勢の組み合わせである載置態様について予め定められた複数種類の載置態様における何れであるのかを特定する制御手段とを有する原稿読取装置において、
前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施するように、前記制御手段を構成したことを特徴とする原稿読取装置。
【請求項２】
請求項１の原稿読取装置において、
前記原稿検知手段によって原稿無しという検知結果が得られた場合には、載置態様の特定のために複数回実施する前記存否判定処理のうち、前記基準点灯条件を採用した存否判定処理を始めに実施するように、前記制御手段を構成したことを特徴とする原稿読取装置。
【請求項３】
請求項１又は２の原稿読取装置において、
複数種類の前記載置態様のうち、前記原稿検知手段によって原稿が検知される載置態様の全てについて、前記基準点灯条件を採用した存否判定処理で原稿ありと判定されるように、前記原稿検知手段の主走査方向の配設位置と、前記基準点灯条件とを設定するとともに、
前記原稿検知手段によって原稿有りという検知結果が得られた場合には、載置態様の特定のために複数回実施する前記存否判定処理としてそれぞれ、前記基準点灯条件を採用していないものを実施するように、前記制御手段を構成したことを特徴とする原稿読取装置。
【請求項４】
請求項１乃至３の何れかの原稿読取装置において、
前記存否判定処理における複数の前記分割光源の発光強度をそれぞれ、原稿の画像を読み取る画像読取処理を実施するときにおける複数の前記分割光源の発光強度よりも低くする処理を実施するように、前記制御手段を構成したことを特徴とする原稿読取装置。
【請求項５】
請求項１乃至４の何れかの原稿読取装置において、
前記原稿台上に載置された原稿を前記原稿台の表面に向けて押さえる原稿押さえ手段と、前記原稿押さえ手段の前記原稿台に対する開閉動作を検知する開閉検知手段とを設けるとともに、
前記開閉検知手段によって前記原稿押さえ手段の閉動作が検知されたことに基づいて、前記存否判定処理を開始する処理を実施するように、制御手段を構成したことを特徴とする原稿読取装置。
【請求項６】
原稿の画像を読み取る画像読取装置と、前記画像読取装置による画像の読取結果に基づいて記録部材に画像を形成する画像形成手段とを備える画像形成装置において、
前記画像読取装置として、請求項１乃至５の何れかの画像読取装置を用いたことを特徴とする画像形成装置。
【請求項７】
原稿台に原稿を載置する工程と、前記原稿台の表面に沿った主走査方向に並ぶ複数の分割光源を具備する光源のそれぞれの分割光源から前記原稿台上の原稿に向けて照射して原稿面での反射光を得ながら、該光源を搭載した移動照射手段を前記表面に沿いつつ前記主走査方向に直交する方向である副走査方向に移動させ、前記移動照射手段からの反射光を画像センサーに受光させて原稿の画像を読み取らせる工程と、前記表面上の副走査方向の所定位置における原稿の存否を原稿検知手段によって検知する工程と、複数の前記分割光源の少なくとも１つを点灯させながら前記画像センサーによる受光量を取得した結果に基づいて前記原稿台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記原稿台上における原稿の平面サイズ及び姿勢の組み合わせである載置態様について予め定められた複数種類の載置態様における何れであるのかを特定する特定工程とを実施する原稿読取方法において、
前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施することを特徴とする原稿読取方法。
【手続補正２】
【補正対象書類名】明細書
【補正対象項目名】００１４
【補正方法】変更
【補正の内容】
【００１４】
上記目的を達成するために、本発明は、原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、前記表面上の副走査方向の所定位置における原稿の存否を検知する原稿検知手段と、複数の前記分割光源の少なくとも１つを点灯させながら前記画像センサーによる受光量を取得した結果に基づいて前記原稿台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記原稿台上における原稿の平面サイズ及び姿勢の組み合わせである載置態様について予め定められた複数種類の載置態様における何れであるのかを特定する制御手段とを有する原稿読取装置において、前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施するように、前記制御手段を構成したことを特徴とするものである。
また、本発明は、原稿台に原稿を載置する工程と、前記原稿台の表面に沿った主走査方向に並ぶ複数の分割光源を具備する光源のそれぞれの分割光源から前記原稿台上の原稿に向けて照射して原稿面での反射光を得ながら、該光源を搭載した移動照射手段を前記表面に沿いつつ前記主走査方向に直交する方向である副走査方向に移動させ、前記移動照射手段からの反射光を画像センサーに受光させて原稿の画像を読み取らせる工程と、前記表面上の副走査方向の所定位置における原稿の存否を原稿検知手段によって検知する工程と、複数の前記分割光源の少なくとも１つを点灯させながら前記画像センサーによる受光量を取得した結果に基づいて前記原稿台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記原稿台上における原稿の平面サイズ及び姿勢の組み合わせである載置態様について予め定められた複数種類の載置態様における何れであるのかを特定する特定工程とを実施する原稿読取方法において、前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施することを特徴とするものである。